(57)【要約】   【課題】  多種多様な機種の携帯電話のバックアップを、簡易に行う。  【解決手段】  バックアップ装置１０は、マイクロコンピュータ２０中の内蔵メモリやメモリ中に、携帯電話の機種番号に対応付けられたファームウェアおよび携帯電話の機種番号および暗証番号を格納した固有情報記憶領域４０、並びに、メモリ中２６に、バックアップされた情報を格納するバックアップ情報記憶領域４２を有する。バックアップ装置１０は、第１のコネクタ１２を経由して、携帯電話から機種番号を取得し、固有情報記憶領域４０に記憶された機種番号と照合する認証処理部３２と、認証が成功したときに、機種番号に対応するファームウェアを、固有情報記憶領域４０から読み出し、第１のコネクタを経由して、携帯電話のメモリ中の基本情報および拡張情報を読み出して、バックアップ情報記憶領域４２に記憶するメモリ制御処理部３４とを備える。【選択図】  図１
2006011994.tif 000002
【特許請求の範囲】
【請求項１】
携帯電話のコネクタと接続可能な第１のコネクタと、少なくとも携帯電話用の充電器と接続可能な第２のコネクタと、前記第２のコネクタの電力供給端子と第１のコネクタとを接続し、充電器からの電力を携帯電話に伝達する電力供給線と、第１のコネクタのデータ端子、および、第２のコネクタのデータ端子と接続されたマイクロコンピュータと、マイクロコンピュータに接続されたメモリとを備えたバックアップ装置であって、
前記マイクロコンピュータ中の内蔵メモリ、および／または、前記メモリ中に設けられ、携帯電話ごとに付された機種番号に対応付けられたバックアップ用ファームウェア、並びに、バックアップ対象となる携帯電話の機種番号および暗証番号を格納した固有情報記憶領域と、
前記マイクロコンピュータの前記メモリ中に設けられた、バックアップされた情報を格納するバックアップ情報記憶領域と、
前記第１のコネクタと携帯電話のコネクタとが接続され、かつ、前記第２のコネクタと前記充電器とが接続されると、前記第１のコネクタを経由して、前記機種番号を取得し、前記固有情報記憶領域に記憶された機種番号と照合する認証処理手段と、
前記認証処理手段による認証が成功したときに、前記機種番号に対応するファームウェアを、前記固有情報記憶領域から読み出し、前記ファームウェアにしたがって、前記第１のコネクタを経由して、前記携帯電話のメモリに記憶された基本情報および拡張情報を読み出して、読み出された基本情報および拡張情報を、前記メモリのバックアップ情報記憶領域に記憶するメモリ制御処理手段と、を備えたことを特徴とするバックアップ装置。
【請求項２】
前記認証処理手段が、前記固有情報記憶領域に記憶された暗証番号を、前記第１のコネクタを経由して、前記携帯電話に送信し、その結果、メモリに記憶された基本情報および拡張情報の読み出しが可能な状態にならなかった場合に、前記携帯電話から暗証番号を取得ための情報を、前記第１のコネクタを経由して、順次送信し、取得された暗証番号を、前記固有情報記憶領域に記憶するように構成されたことを特徴とする請求項１に記載のバックアップ装置。
【請求項３】
前記第２のコネクタが、他端がパーソナルコンピュータと接続されたケーブルの一端と接続され、当該第２のコネクタを経由して、データ取り出し要求が受信され、前記第２のコネクタを経由して、暗証番号が受信されると、
前記認証処理手段が、受信された暗証番号と、前記固有情報記憶領域に記憶された暗証番号とを照合し、
前記認証処理手段による認証が成功したときに、前記メモリ制御処理手段が、前記メモリのバックアップ情報記憶領域に記憶された基本情報および拡張情報を、前記第２のコネクタを経由して、前記パーソナルコンピュータに送信するように構成されたことを特徴とする請求項１または２に記載のバックアップ装置。
【請求項４】
前記第２のコネクタを経由して、前記パーソナルコンピュータとバックアップ装置とが接続されているときに、
前記第２のコネクタを経由して、ファームウェア書き込み特殊コードを受理した場合に、ファームウェアアップデートモードに移行して、前記固有情報記憶領域中のファームウェアを書き換え可能とし、前記第２のコネクタを経由して伝達されたファームウェアを、その機種番号と対応付けて、前記固有情報記憶領域に書き込むファームウェア更新処理部を備えたことを特徴とする請求項１ないし３の何れか一項に記載のバックアップ装置。
【請求項５】
前記固有情報記憶領域の機種番号および暗証番号が初期化されている場合に、前記第１のコネクタと携帯電話のコネクタとが接続され、かつ、前記第２のコネクタと前記充電器とが接続されると、前記認証処理手段が、前記第１のコネクタを経由して、前記携帯端末から機種番号および暗証番号を取得し、前記固有情報記憶手段に記憶するように構成されたことを特徴とする請求項１ないし４の何れか一項に記載のバックアップ装置。
【発明の詳細な説明】
【技術分野】
【０００１】
本発明は、携帯電話のメモリバックアップ装置に関する。
【背景技術】
【０００２】
携帯電話の機能の向上により、携帯電話には、電話帳、メモ、メール、画像など種々の大量の情報が蓄積されるようになった。したがって、携帯電話の紛失や、携帯電話の故障、破壊などにより、上記情報が回復できない事態が起こると、携帯電話のユーザに多大な不便が生じかねない。
【０００３】
したがって、携帯電話に蓄積された大量の情報を簡易にバックアップする装置が求められている。たとえば、パーソナルコンピュータ（ＰＣ）と携帯電話のコネクタとを、ＵＳＢケーブルなどで接続し、携帯電話から情報をＰＣに送信し、ＰＣの記憶装置に記憶するようなバックアップシステムも提案されている。しかしながら、このバックアップシステムでは、バックアップのためにＰＣのソフトウェアを起動し、かつ、携帯電話とＰＣとをＵＳＢケーブルなどで接続する手間がかかるため、簡易にバックアップを実現することはできないという問題点があった。
【特許文献１】特開２０００−３２４２３７号公報
【特許文献２】特開２００４−３２４８０号公報
【発明の開示】
【発明が解決しようとする課題】
【０００４】
そこで、特許文献１には、充電器と兼用のバックアップ装置が開示されている。この装置においては、ユーザが携帯電話を充電するために、携帯電話を充電器兼用のバックアップ装置と接続させると、バックアップ機能が起動して、ユーザが、携帯電話のキーを操作して予め設定された暗証番号を入力することで、データのバックアップが開始される。また、上記接続状態のもと、充電器兼用バックアップ装置に記憶された情報を携帯電話に戻すこともできる。
【０００５】
また、特許文献２にも、充電器と兼用のバックアップ装置が開示されている。このバックアップ装置では、バックアップした情報をＰＣに転送できるように構成されている。
【０００６】
バックアップ装置にバックアップされた情報が必要となるときは、当該情報がバックアップされた携帯電話を紛失し、或いは、その携帯電話が故障、破壊したため、上記情報を他の携帯電話（たとえば、新たに購入した別の携帯電話）に格納する必要がある場合が多い。
【０００７】
また、携帯電話においては、多種多様な機種があるため、その機種に応じて必要な情報をバックアップすることが望まれる。
【０００８】
本発明は、多種多様な機種の携帯電話のバックアップを、簡易に行うことが可能なバックアップ装置を提供することを目的とする。
【課題を解決するための手段】
【０００９】
本発明の目的は、携帯電話のコネクタと接続可能な第１のコネクタと、少なくとも携帯電話用の充電器と接続可能な第２のコネクタと、前記第２のコネクタの電力供給端子と第１のコネクタとを接続し、充電器からの電力を携帯電話に伝達する電力供給線と、第１のコネクタのデータ端子、および、第２のコネクタのデータ端子と接続されたマイクロコンピュータと、マイクロコンピュータに接続されたメモリとを備えたバックアップ装置であって、前記マイクロコンピュータ中の内蔵メモリ、および／または、前記メモリ中に設けられ、携帯電話ごとに付された機種番号に対応付けられたバックアップ用ファームウェア、並びに、バックアップ対象となる携帯電話の機種番号および暗証番号を格納した固有情報記憶領域と、前記マイクロコンピュータの前記メモリ中に設けられた、バックアップされた情報を格納するバックアップ情報記憶領域と、前記第１のコネクタと携帯電話のコネクタとが接続され、かつ、前記第２のコネクタと前記充電器とが接続されると、前記第１のコネクタを経由して、前記機種番号を取得し、前記固有情報記憶領域に記憶された機種番号と照合する認証処理手段と、前記認証処理手段による認証が成功したときに、前記機種番号に対応するファームウェアを、前記固有情報記憶領域から読み出し、前記ファームウェアにしたがって、前記第１のコネクタを経由して、前記携帯電話のメモリに記憶された基本情報および拡張情報を読み出して、読み出された基本情報および拡張情報を、前記メモリのバックアップ情報記憶領域に記憶するメモリ制御処理手段と、を備えたことを特徴とするバックアップ装置により達成される。
【００１０】
本発明によれば、携帯電話との接続および充電器との接続がなされた状態で、機種番号を自動的に取得して、認証を行う。したがって、ユーザは、充電器と携帯電話とを接続して充電させるのとほぼ同様の操作をするだけで、バックアップ装置は、携帯電話のデータバックアップを実現する。
【００１１】
また、本発明によれば、機種番号に基づいて、ファームウェアを選択し、そのファームウェアにしたがって、携帯電話の基本情報および拡張情報を読み出す。つまり、ファームウェアは、携帯電話の機種ごとのメモリのアドレス情報や、データ形式などを含み、それにしたがって、バックアップ装置のメモリ制御処理手段が作動する。したがって、種々の機種の携帯電話の基本情報（アドレス帳のうち、名前、フリガナ、単一の電話番号、メールアドレスなど、機種によらず共通の情報）と、拡張情報（アドレス帳のうち、上記情報以外の情報など、機種ごとに異なる情報）とを適切にバックアップすることが可能となる。
【００１２】
また、認証処理部は、固有情報記憶領域に記憶された暗証番号を、第１のコネクタを経由して携帯電話に送信して、当該携帯電話のメモリに記憶された種々の情報の読み出しを可能にする。ここで、好ましい実施態様においては、前記認証処理手段が、前記固有情報記憶領域に記憶された暗証番号を、前記第１のコネクタを経由して、前記携帯電話に送信し、その結果、メモリに記憶された基本情報および拡張情報の読み出しが可能な状態にならなかった場合に、前記携帯電話から暗証番号を取得ための情報を、前記第１のコネクタを経由して、順次送信し、取得された暗証番号を、前記固有情報記憶領域に記憶するように構成されている。たとえば、ユーザが暗証番号を変更した場合であっても、自動的に新たな暗証番号を取得することが可能となる。
【００１３】
好ましい実施態様においては、前記第２のコネクタが、他端がパーソナルコンピュータと接続されたケーブルの一端と接続され、当該第２のコネクタを経由して、データ取り出し要求が受信され、前記第２のコネクタを経由して、暗証番号が受信されると、前記認証処理手段が、受信された暗証番号と、前記固有情報記憶領域に記憶された暗証番号とを照合し、前記認証処理手段による認証が成功したときに、前記メモリ制御処理手段が、前記メモリのバックアップ情報記憶領域に記憶された基本情報および拡張情報を、前記第２のコネクタを経由して、前記パーソナルコンピュータに送信するように構成されている。
【００１４】
上記実施態様では、データの取り出しが必要な場合には、パーソナルコンピュータにいったんデータを送信して、パーソナルコンピュータに一時的に記憶させ、パーソナルコンピュータと携帯電話とを接続して、一時的に記憶されたデータを携帯電話に送信するような構成をとっている。
【００１５】
また、好ましい実施態様においては、前記第２のコネクタを経由して、前記パーソナルコンピュータとバックアップ装置とが接続されているときに、前記第２のコネクタを経由して、ファームウェア書き込み特殊コードを受理した場合に、ファームウェアアップデートモードに移行して、前記固有情報記憶領域中のファームウェアを書き換え可能とし、前記第２のコネクタを経由して伝達されたファームウェアを、その機種番号と対応付けて、前記固有情報記憶領域に書き込むファームウェア更新処理部を備えている。たとえば、新たな機種の携帯電話が投入された場合、当該新たな機種のファームウェアをバックアップ装置に記憶させ、当該新たな機種の携帯電話のメモリバックアップも可能となる。
【００１６】
別の好ましい実施態様においては、前記固有情報記憶領域の機種番号および暗証番号が初期化されている場合に、前記第１のコネクタと携帯電話のコネクタとが接続され、かつ、前記第２のコネクタと前記充電器とが接続されると、前記認証処理手段が、前記第１のコネクタを経由して、前記携帯端末から機種番号および暗証番号を取得し、前記固有情報記憶手段に記憶するように構成されたことを特徴とする。
【発明の効果】
【００１７】
本発明によれば、多種多様な機種の携帯電話のバックアップを、簡易に行うことが可能なバックアップ装置を提供することが可能となる。
【発明を実施するための最良の形態】
【００１８】
以下、添付図面を参照して本発明の実施の形態につき説明を加える。図１は、本発明の実施の形態にかかる携帯電話のメモリバックアップ装置のハードウェア構成を示すダイヤグラムである。図１に示すように、本実施の形態にかかるバックアップ装置１０は、携帯電話のコネクタと接続される第１のコネクタ１２と、携帯電話用の充電器やパーソナルコンピュータ（ＰＣ）と接続される第２のコネクタ１４と、制御電源１６と、電圧安定化回路１８と、マイクロコンピュータ２０と、スイッチ群２２と、ＬＥＤ群２４と、メモリ２６と、マルチプレクサ２８とを備えている。本実施の形態において、マイクロコンピュータ２０は、ＥＥＰＲＯＭで構成された内蔵メモリ３０を有する。また、メモリ２６として、フラッシュメモリが利用される。
【００１９】
本実施の形態において、マイクロコンピュータ２０は、図２の機能ブロックダイヤグラムに示すように、認証処理部３２と、メモリ制御処理部３４と、ファームウェアを更新するファームウェア更新処理部３６とを有する。
【００２０】
認証処理部３２およびファームウェア更新処理部３６は、内蔵メモリ３０或いはメモリ２６の固有情報記憶領域４０に情報を書き込み、或いは、固有情報記憶領域４０に書き込まれた情報を参照する。また、メモリ制御処理部３４は、メモリ２６のバックアップ情報記憶領域４２に情報を書き込み、或いは、バックアップ情報記憶領域４２の情報を読み出す。
【００２１】
携帯電話のデータを、バックアップ装置にバックアップする際には、利用者は、第１のコネクタ１２を、電源がオン状態の携帯電話のコネクタと接続させるとともに、第２のコネクタ１４を、充電器ケーブルのコネクタと接続させる。なお、上述した接続により、第２のコネクタから電源線５０および第２のコネクタを経て、携帯電話に対して電力が供給される。また、マルチプレクサ２８により、第１のコネクタ１２のデータ端子からマルチプレクサ２８を経て、マイクロコンピュータ２０にデータが与えられ、かつ、マイクロコンピュータ２０からマルチプレクサ２８を経て、第１のコネクタ１２のデータ端子に、必要なデータが与えられる。
【００２２】
図３は、本実施の形態にかかるバックアップ装置にて実行されるバックアップ処理の概略を示すフローチャートである。図３に示すように、操作者が、バックアップ装置の第２のコネクタ１４と、充電器のコネクタとを接続させることにより、装置は起動する（ステップ３００）。次いで、操作者が、バックアップ装置の第１のコネクタ１２と、携帯電話のコネクタとを接続させることにより、バックアップ装置は、携帯電話の認証処理を実行する（ステップ３０１）。
【００２３】
図４は、認証処理をより詳細に示すブロックダイヤグラムである。図４に示すように、マイクロコンピュータ２０は、固有情報記憶領域４０を参照して、登録された情報が存在するか否かを判断する（ステップ４０１）。ステップ４０１でノー(No)と判断された場合には、バックアップ装置に、その固有情報が登録された携帯電話が存在しないため、初期登録処理が実行される（ステップ４１０）。
【００２４】
より詳細には、認証処理部３２は、機種番号読み出し要求を、第１のコネクタ１２経由で、携帯電話に出力する（ステップ４１１）。携帯電話から機種番号を受信し（ステップ４１２）、次いで、暗証番号割り出し処理を実行する（ステップ４１３）。
【００２５】
暗証番号割り出し処理においては、所定の桁数の数字（たとえば、４桁の数字）を初期値「００００」から順次インクリメントするようにして、その数字を携帯電話に、第１のコネクタ１２経由で出力し、当該携帯電話の暗証番号を取得できるまで、数字のインクリメントおよび数字の出力を繰り返す。
【００２６】
このようにして、機種番号および暗証番号を取得した後、認証処理部３２は、取得した機種番号および暗証番号を、固有情報記憶領域４０に格納する（ステップ４１４）。
【００２７】
その一方、登録情報が存在する場合（ステップ４０１でイエス(Yes)）には、認証処理部３２は、携帯電話に対して機種番号読み出し要求を送信し（ステップ４０２）、機種番号を受信する（ステップ４０３）。その後、認証処理部３２は、固有情報記憶領域４０の機種情報を読み出して（ステップ４０４）、受信した機種番号と比較する（ステップ４０５）。両者が一致しない場合には（ステップ４０５でノー(No)）、認証処理部３２は、ＬＥＤ群２４中、エラーが生じた際に点灯するエラーＬＥＤを点灯させる（ステップ４０６）。
【００２８】
ステップ４０５でイエス(Yes)の場合には、認証処理部３２は、固有情報記憶領域４０から暗証番号を読み出し（ステップ４０７）、第１のコネクタを経由して、暗証番号を携帯電話に送信する（ステップ４０８）。この結果、携帯電話のメモリに記憶された情報が取り出し可能な状態であれば（ステップ４０９でイエス(Yes)）ステップ３０２に進む。その一方、取出しが不可能な状態であれば（ステップ４０９でノー(No)）、ステップ４１３に進み、暗証番号割り出し処理が実行される。ここで割り出された暗証番号は、固定情報記憶領域に記憶される（ステップ４１４）。たとえば、ユーザが自己の携帯電話の暗証番号を変更してしまった場合には、ステップ４０９でノー(No)と判断され、その変更された新たな暗証番号が割り出されて、これがバックアップ装置に登録されることになる。
【００２９】
認証処理が終了すると、メモリ制御処理部３４は、固有情報記憶領域４０に記憶された機種番号を参照して、当該機種番号の携帯電話に対応するファームウェアを、固有情報記憶領域４０から読み出す（ステップ３０２）。次いで、メモリ制御処理部３４は、第１のコネクタ１２を経由してメモリ中のデータ取り出し要求を携帯電話に送信するとともに（ステップ３０３）、固有情報記憶領域４０に記憶されている暗証番号を送信する（ステップ３０４）。なお、既に暗証番号が送信されている場合には、ステップ３０４は省略される。
【００３０】
メモリ制御処理部３４は、バックアップを開始し、ＬＥＤ群２４中のバックアップ中ＬＥＤを点灯させる（ステップ３０５）。図５は、バックアップ処理（ステップ３０６）をより詳細に示すフローチャートである。携帯電話には、基本情報として、アドレス帳のうちの、名前、フリガナ、電話番号１（その名前に対する第１の電話番号）が記憶されるとともに、拡張情報として、電話番号２、電話番号３、・・・（その名前に対する第２、第３・・・の電話番号）、メールアドレス、グループ、住所、誕生日、メモが含まれる。また、拡張情報には、アドレス帳における上述した情報以外の情報、スケジュール帳、ブックマーク、データフォルダが含まれる。無論、拡張情報には、写真などの画像、送受信メールなども含まれ得る。
【００３１】
基本情報（基本プロトコル）は、携帯電話の機種にかかわらず共通であるが、拡張情報（拡張プロトコル）は、携帯電話の機種により異なる。そこで、本実施の形態では、先のステップ３０２において、機種ごとのファームウェアを読み出し、拡張プロトコルに対応できるようになっている。
【００３２】
図５に示すように、メモリ制御処理部３４は、基本プロトコルにしたがって、携帯電話中の基本情報を読み出し（ステップ５０１）、メモリ２６のバックアップ女王領域４２に書き込む（ステップ５０２）。この読み出しと書き込みは、たとえば、１ｂｙｔｅ単位で携帯電話から送信されるデータを一時的に、内蔵メモリ３０に一時的に記憶し、かつ、次の１ｂｙｔｅのデータが送信されている間に、一時的に記憶されたデータを、メモリ２６のバックアップ情報記憶領域４２に書き込むのが望ましい。
【００３３】
基本情報の書き込みが終了すると（ステップ５０３でイエス(Yes)）、メモリ制御処理部３４は、拡張プロトコルにしたがって、携帯電話中の拡張情報を読み出し（ステップ５０４）、メモリ２６のバックアップ情報記憶領域４２に書き込む（ステップ５０５）。ここでも、１ｂｙｔｅ単位で携帯電話から送信されるデータを一時的に、内蔵メモリ３０に一時的に記憶し、かつ、次の１ｂｙｔｅのデータが送信されている間に、一時的に記憶されたデータを、メモリ２６のバックアップ情報記憶領域４２に書き込む。このような処理は、拡張情報すべての書き込みが終了するまで繰り返される（ステップ５０６参照）。
【００３４】
メモリ制御処理部３４は、バックアップが成功しているか否かを判断し、成功していれば（ステップ３０７でイエス(Yes)）、ＬＥＤ群２４中のバックアップ成功ＬＥＤを点灯させる（ステップ３０８）。バックアップが成功していない場合には（ステップ３０７でノー(No)）、メモリ制御処理部３４は、３回バックアップが失敗しているか否かを判断し、その場合には（ステップ３０９でイエス(Yes)）、ＬＥＤ群２４中のバックアップ失敗ＬＥＤを点灯させる（ステップ３１０）。
【００３５】
このようにして携帯電話の基本情報および拡張情報をバックアップすることが可能となる。
【００３６】
次に、本実施の形態にかかるバックアップ装置による、バックアップされたデータの出力について説明する。
【００３７】
本実施の形態においては、第２のコネクタ１４に、その他端がパーソナルコンピュータ（ＰＣ）に接続されたＵＳＢケーブルやシリアルケーブルが接続されると、ケーブル中の電源線からバックアップ装置１０に電源が供給され、バックアップ装置１０が起動される。また、この場合には、マルチプレクサ２８により、第２のコネクタ１４のデータ端子からマルチプレクサ２８を経て、マイクロコンピュータ２０にデータが与えられ、かつ、マイクロコンピュータ２０からマルチプレクサ２８を経て、第２のコネクタ１４のデータ端子に、必要なデータが与えられる。
【００３８】
操作者が、ＰＣを操作して、メモリ中のデータ取り出し要求をバックアップ装置に与えると、図６に示すように、第２のコネクタ１４を経由して、マイクロコンピュータ２０により、データ取り出し要求が受信される（ステップ６０１）。認証処理部３２は、データ取り出し要求に応答して、第２のコネクタを経由して、ＰＣに対して、暗証番号等の入力を要求する（ステップ６０２）。ここでは、暗証番号のほか、携帯電話の電話番号の入力を求めても良い。
【００３９】
操作者がＰＣの入力装置を操作して、暗証番号等を入力すると、認証処理部３２は、入力された暗証番号等を受理し、受理した暗証番号等と、固有情報記憶領域４０に記憶された暗証番号等とを比較する（ステップ６０３）。暗証番号、電話番号などの何れかが不一致の場合（ステップ６０４でノー(No)）には、認証処理部３２は、エラー通知をＰＣに送信する（ステップ６０５）。その一方、双方の暗証番号等が一致した場合には（ステップ６０４でイエス(Yes)）、メモリ制御処理部３４がデータ吐き出し処理を実行する（ステップ６０６）。
【００４０】
データ吐き出し処理においては、データ制御処理部３４が、メモリ２６のバックアップ情報記憶領域４２から基本情報および拡張情報を順次読み出して、読み出された情報を、第２のコネクタ１４を経由して、ＰＣに対して送信する。このようにして、バックアップ装置１０のメモリ２６のバックアップ情報記憶領域４２に格納された基本情報および拡張情報を、ＰＣの記憶装置に記憶させることが可能となる。また、このようにＰＣの記憶装置に記憶された情報を、必要に応じて、携帯電話に戻すことができる。
【００４１】
ＰＣから携帯電話へのデータ転送について簡単に説明する。ＰＣと携帯電話とが接続された状態で、ＰＣは、携帯電話の情報を読み出して機種を特定し、また、暗証番号を用いた認証を実行する。次いで、携帯電話のキーを操作して、ＰＣ側の要求する暗証番号が入力される。このような暗証番号を用いた認証に成功すると、ＰＣの記憶装置に記憶された基本情報および拡張情報が、携帯電話に送信される。ここでは、ＰＣが、携帯電話の機種番号にしたがって、基本情報および拡張情報を、データをメモリに記憶させるべき携帯電話の機種に合致するように変換する。これにより、携帯電話の機種が変更された場合であっても、新たな機種の携帯電話に、情報を適切に格納させることが可能となる。
【００４２】
本実施の形態においては、ＰＣなどからバックアップ装置１０に対して、ファームウェアを書き込むことにより、ファームウェアをアップデートさせることができる。ここでも、第２のコネクタ１４に、その多端がＰＣに接続されたＵＳＢケーブルやシリアルケーブルが接続される。
【００４３】
操作者が、ＰＣを操作して、ファームウェア書き込み特殊コードをバックアップ装置１０に与えるように指示すると、図７に示すように、第２のコネクタ１４を経由して、マイクロコンピュータ２０により、ファームウェア書き込み特殊コードが受信される（ステップ７０１）。これに応答して、バックアップ装置１０は、ファームウェアアップデートモードに移行する（ステップ７０２）。これにより、固有情報記憶領域４０中、通常は書き換えが許可されないファームウェアの記憶領域へのデータ書き込みが可能となる。
【００４４】
ＰＣから機種番号および対応するファームウェアが送信されると、当該ファームウェアは、第２のコネクタ１４を経由して、アックアップ装置内に伝達される。ファームウェア更新処理部３６は、ファームウェアを受信すると（ステップ７０３）、当該ファームウェアを、固有情報記憶領域４０に書き込む（ステップ７０４）。アップデートすべきファームウェア全てが固有情報記憶領域４０に書き込まれると（ステップ７０５でイエス(Yes)）、処理は終了する。
【００４５】
このように、本実施の形態によれば、新たな携帯電話の機種が追加された場合に、バックアップ装置１０のファームウェアを、機種番号と関連付けてアップデートすることにより、当該新たな機種の携帯電話に格納された基本情報および固有情報のバックアップが可能となる。
【００４６】
本実施の形態にかかるバックアップ装置の他の機能について簡単に説明する。本実施の形態においては、バックアップ装置と携帯端末とを接続した際、或いは、バックアップが終了した際に、携帯端末が接続すべきＵＲＬを送信し、携帯端末を起動させて、当該ＵＲＬのサイトにアクセスさせても良い。たとえば、上記バックアップ装置に関する最新情報などのコンテンツのＵＲＬにアクセスさせるのが望ましい。
【００４７】
本発明は、以上の実施の形態に限定されることなく、特許請求の範囲に記載された発明の範囲内で、種々の変更が可能であり、それらも本発明の範囲内に包含されるものであることは言うまでもない。
【００４８】
たとえば、前記実施の形態において、バックアップ装置からＰＣにデータを吐き出す際に、バックアップ装置がデータを暗号化してＰＣに送信しても良い。或いは、携帯電話からバックアップ装置にデータをバックアップする際に、受信したデータを暗号化して、目メモリ２６のバックアップ情報記憶領域４２に記憶しても良い。
【図面の簡単な説明】
【００４９】
【図１】図１は、本発明の実施の形態にかかる携帯電話のメモリバックアップ装置のハードウェア構成を示すダイヤグラムである。
【図２】図２は、本実施の形態にかかるマイクロコンピュータなどの機能ブロックダイヤグラムである。
【図３】図３は、本実施の形態にかかるバックアップ装置にて実行されるバックアップ処理の概略を示すフローチャートである。
【図４】図４は、認証処理をより詳細に示すブロックダイヤグラムである。
【図５】図５は、バックアップ処理をより詳細に示すブロックダイヤグラムである。
【図６】図６は、本実施の形態にかかるバックアップ装置からのデータ取り出しの際に実行される処理を示すフローチャートである。
【図７】図７は、本実施の形態にかかるファームウェアアップロード処理を示すフローチャートである。
【符号の説明】
【００５０】
１０    バックアップ装置
１２    第１のコネクタ
１４    第２のコネクタ
２０    マイクロコンピュータ
２２    スイッチ群
２４    ＬＥＤ群
２６    メモリ
３２    認証処理部
３４    メモリ制御処理部
３６    ファームウェア更新処理部
４０    固有情報記憶領域
４２    バックアップ情報記憶領域
【図１】
2006011994.tif 000003
【図２】
2006011994.tif 000004
【図３】
2006011994.tif 000005
【図４】
2006011994.tif 000006
【図５】
2006011994.tif 000007
【図６】
2006011994.tif 000008
【図７】
2006011994.tif 000009